(57)【要約】【課題】放射状方向に揺らすことができるベッドフレーム及びこれを備えたベッドを提供することを課題とする。【解決手段】ベッドフレーム１は、放射状方向に揺動可能な脚部１０と、脚部１０上に接続され体を支持する支持部２０とを備える。ベッドＢは、ベッドフレーム１と、ベッドフレーム１の支持部２０上に設置された布団３とを備える。布団３は、平面視して支持部２０と略同等の形状を呈する。布団３は、本体部３１と、本体部３１の周縁に沿って延在する枕部３２とを備える。【選択図】図１
2018007812.tif 000002
【特許請求の範囲】
【請求項１】
放射状方向に揺動可能な脚部と、
前記脚部上に接続され、体を支持する支持部と、
を備えていることを特徴とするベッドフレーム。
【請求項２】
前記脚部は、互いに交差し、設置面に当接する複数の当接部材で構成されており、
少なくとも前記支持部の周縁部と前記当接部材とが接続されていることを特徴とする請求項１に記載のベッドフレーム。
【請求項３】
各前記当接部材の下端は、前記設置面に対して線接触することを特徴とする請求項２に記載のベッドフレーム。
【請求項４】
前記脚部は、前記支持部の周端よりも外側に張り出していることを特徴とする請求項１乃至請求項３のいずれか一項に記載のベッドフレーム。
【請求項５】
前記支持部は、
前記脚部に接続される枠状部と、
前記枠状部の内側に設けられ、前記枠状部よりも下方に窪む柔軟性を有する受け部と、
を備えていることを特徴とする請求項１乃至請求項４のいずれか一項に記載のベッドフレーム。
【請求項６】
請求項１乃至請求項５のいずれか一項に記載のベッドフレームと、
前記ベッドフレームの前記支持部上に設置された布団と、
を備えたベッドであって、
前記布団は、平面視して前記支持部と略同等の形状を呈しており、
本体部と、
前記本体部の周縁に沿って延在する枕部と、を備えていることを特徴とするベッド。
【発明の詳細な説明】
【技術分野】
【０００１】
本発明は、ベッドフレーム及びこれを備えたベッドに関する。
【背景技術】
【０００２】
従来のベッドとして、快適な寝心地を生み出すために、揺動機能を備えたものが開発されている。
【０００３】
例えば、特許文献１には、下方に凸となる円弧状の複数の板をベッドの下端に設置した発明が開示されている。当該従来技術によれば、体の重心位置を板の延在方向に沿って移動させることにより、ベッドを揺らすことができる。
【先行技術文献】
【特許文献】
【０００４】
【特許文献１】実開昭６２−５５９６１号公報
【発明の概要】
【発明が解決しようとする課題】
【０００５】
しかし、特許文献１の発明では、複数の板が同一方向に沿って延在するため、ベッドを一方向にしか揺らすことができなかった。
【０００６】
本発明はこのような観点から創案されたものであり、放射状方向に揺らすことができるベッドフレーム及びこれを備えたベッドを提供することを課題とする。
【課題を解決するための手段】
【０００７】
本発明に係るベッドフレームは、放射状方向に揺動可能な脚部と、前記脚部上に接続され、体を支持する支持部と、を備えていることを特徴とする。
【０００８】
本発明によれば、放射状方向に揺動可能な脚部を備えるため、ベッドフレームを放射状方向に揺らすことができる。これにより、快適な寝心地を生み出すことができる。
【０００９】
また、前記脚部は、互いに交差し、設置面に当接する複数の当接部材で構成されており、少なくとも前記支持部の周縁部と前記当接部材とが接続されていることが好ましい。
【００１０】
このようにすると、脚部の軽量化を図ることができると共に、ベッドフレームの安定性を向上させることができる。
【００１１】
また、各前記当接部材の下端は、前記設置面に対して線接触することが好ましい。
【００１２】
このようにすると、当接部材と設置面との接触面積が小さくなるため、ガタつきを抑え、ベッドフレームをスムーズに揺らすことができる。
【００１３】
また、前記脚部は、前記支持部の周端よりも外側に張り出していることが好ましい。
【００１４】
このようにすると、ベッドフレームの倒れを抑制して安定性を向上させることができる。
【００１５】
前記支持部は、前記脚部に接続される枠状部と、前記枠状部の内側に設けられ、前記枠状部よりも下方に窪む柔軟性を有する受け部と、を備えていることが好ましい。
【００１６】
このようにすると、受け部が体型や寝相に合わせて変形するため、体を柔らかく受け止めることができる。
【００１７】
本発明に係るベッドは、請求項１乃至請求項５のいずれか一項に記載のベッドフレームと、前記ベッドフレームの前記支持部上に設置された布団と、を備えたベッドであって、前記布団は、平面視して前記支持部と略同等の形状を呈しており、本体部と、前記本体部の周縁に沿って延在する枕部と、を備えていることを特徴とする。
【００１８】
本発明によれば、布団が枕部を一体的に備えるため、枕部の位置ズレが生じない。また、枕部が布団の周縁に沿って延在するため、寝る姿勢が変わっても頭部が枕部上に位置しやすくなる。さらに、枕部が布団の周縁に沿って延在するため、頭部と脚部を枕部上に乗せて高く位置させることが可能となり、楽な体勢を保持することができる。
【発明の効果】
【００１９】
本発明に係るベッドフレーム及びベッドによれば、放射状方向に揺らすことができる。
【図面の簡単な説明】
【００２０】
【図１】本発明の実施形態に係るベッドを示す分解斜視図である。
【図２】ベッドフレームを示す分解斜視図である。
【図３】ベッドフレームを示す平面図である。
【図４】図３のＩＶ−ＩＶに対応する模式断面図である。
【図５】図４のＶ−Ｖ断面図である。
【図６】図３のＶＩ−ＶＩに対応する模式断面図である。
【図７】図３のＶＩＩ−ＶＩＩに対応する模式断面図である。
【図８】図３のＶＩＩＩ−ＶＩＩＩに対応する模式断面図である。
【図９】図２に示すベッドフレーム上に布団を設置した状態を示す平面図である。
【図１０】図９のＸ−Ｘに対応する模式断面図である。
【図１１】ベッドの動作を説明するための説明図である。
【図１２】ベッドフレームの変形例を示す平面図である。
【図１３】ベッドフレームの他の変形例を示す模式断面図である。
【発明を実施するための形態】
【００２１】
本発明の実施形態について、図面を参照して詳細に説明する。説明において、同一の要素には同一の符号を付し、重複する説明は省略する。
【００２２】
図１に示すように、本発明の実施形態に係るベッドＢは、ベッドフレーム１と、ベッドフレーム１上に設置された布団３とを備えている。ベッドＢは、全体として平面視楕円形状を呈する。なお、本実施形態では、ベッドＢの設置面が室内の床面Ｓである場合を例示するが、ベッドＢの設置場所を限定する趣旨ではない。以下の説明においては、ベッドＢの長軸方向を前後方向とし、ベッドＢの短軸方向を左右方向とし、ベッドＢの長軸方向及び短軸方向に直交する方向を上下方向とする。また、ベッドＢの中心側を内側とし、ベッドＢの中心から離間する側を外側とする。
【００２３】
ベッドフレーム１は、床面Ｓに対して放射状方向に揺動可能な脚部１０と、脚部１０上に接続され図示せぬ利用者の体を支持する支持部２０とを備えている。
【００２４】
図２に示すように、実施形態の脚部１０は、互いに交差する縦板状部材１１と横板状部材１２と一対の傾斜板状部材１３，１３とで構成されている。縦板状部材１１、横板状部材１２及び一対の傾斜板状部材１３，１３は、特許請求の範囲の「当接部材」に相当する。各板状部材１１〜１３は、図３に示すように、支持部２０の周端２０ａよりも外側に張り出している。各板状部材１１〜１３の張出寸法Ｌ１〜Ｌ３は、特に制限されないが、例えば２００ｍｍで形成されている。各板状部材１１〜１３の材質は、本実施形態では中密度繊維板（ＭＤＦ）が用いられている。各板状部材１１〜１３の材質は、木、樹脂、金属等の他の材料でもよいが、強度が高くかつ軽量である材料が好ましい。板状部材の数は適宜増減してよい。
【００２５】
図４に示すように、縦板状部材１１は、前後方向（長軸方向）に沿って延在している。縦板状部材１１は、床面Ｓに接地してベッドＢを揺らす機能と、ベッドＢの転倒を防止する機能とを併有する。縦板状部材１１は、全体として下向きに凸となる弓形状を呈する。縦板状部材１１は、縦側基部１１ａと、縦側基部１１ａの外端から外向きに延出する一対の縦側規制部１１ｂ，１１ｂとを備えている。縦板状部材１１は、中心を通る鉛直軸に対して線対称になっている。
【００２６】
縦側基部１１ａは、縦板状部材１１の中央に位置し、ベッドＢの初期位置（水平位置）において床面Ｓに接地する部位である。縦側基部１１ａは、略一定の高さ寸法で前後方向に延在している。縦側基部１１ａの上端の中央部には、正面視略矩形状の切欠部１１ｆが切り欠いて形成されている。切欠部１１ｆは、上向きに開口している。
【００２７】
縦側規制部１１ｂは、ベッドフレーム１の所定角度以上の傾きを規制すると共に、支持部２０に接続される部位である。縦側規制部１１ｂの高さ寸法は、縦側基部１１ａの高さ寸法よりも大きく形成されている。縦側規制部１１ｂには、軽量化のために、略三角形状の貫通孔１１ｇが形成されている。一対の縦側規制部１１ｂ，１１ｂは、貫通孔１１ｇの周囲において、縦側基部１１ａの外端から上下に二股状に分岐する上側傾斜部１１ｃ及び下側傾斜部１１ｄと、上側傾斜部１１ｃ及び下側傾斜部１１ｄの外端同士を繋ぐ外側部１１ｅとを備えている。
【００２８】
上側傾斜部１１ｃは、内側から外側へ向かうほど上り傾斜している。上側傾斜部１１ｃの上端と縦側基部１１ａの上端は、滑らかに連続しており、下向きに凸となる曲面状に形成されている。
【００２９】
下側傾斜部１１ｄは、内側から外側へ向かうほど上側傾斜部１１ｃよりも緩やかに上り傾斜している。下側傾斜部１１ｄの外端は、上側傾斜部１１ｃの外端よりも外側に位置している。下側傾斜部１１ｄの下端と縦側基部１１ａの下端は、滑らかに連続しており、下向きに凸となる曲面状に形成されている。縦側基部１１ａと下側傾斜部１１ｄの下端は、内側から外側へ向かうほど床面Ｓとの離間距離が大きくなっている。
【００３０】
外側部１１ｅは、上側傾斜部１１ｃの外端から外向きに水平に延出した後、下側傾斜部１１ｄの外端へ向けて斜め下方に延出している。外側部１１ｅの上端には、平坦状の接合面１１ｈが形成されている。接合面１１ｈには、枠状部２１のダボ孔２１ａに嵌合する複数（本実施形態では２つ）のダボＤが上方へ向けて突設されている。
【００３１】
外側部１１ｅの外端は、上方から下方へ向かうほど外側に位置するように傾斜すると共に、内向きに凸となる曲面状に形成されている。外側部１１ｅの下端には、下側傾斜部１１ｄよりも下方に段差状に突出する当接部１１ｉが形成されている。当接部１１ｉは、ベッドフレーム１が所定角度以上に傾いたときに床面Ｓに当接して利用者にガタつき（違和感）を与えるための面状部位である。つまり、当接部１１ｉは、ベッドＢの揺動に際し、利用者に注意を喚起する機能を備えている。床面Ｓから当接部１１ｉまでの高さ寸法Ｈ１は、ベッドＢの揺れ幅を規定する寸法であり、例えば１００ｍｍで形成されている。
【００３２】
図５に示すように、縦板状部材１１の下端には、下向きに凸となる曲面状の面取部１１ｊが全長に亘って形成されている。面取部１１ｊの頂部は、床面Ｓに対して線接触している。縦板状部材１１の板厚寸法や面取部１１ｊの曲率は適宜変更してよい。図示は省略するが、他の板状部材１２，１３の下端にも面取部が形成されており、面取り部の頂部は床面Ｓに対して線接触している。
【００３３】
図３に示すように、横板状部材１２は、左右方向（短軸方向）に沿って延在しており、縦板状部材１１に対して直交している。すなわち、縦板状部材１１と横板状部材１２は、平面視十字状に交差している。横板状部材１２の長さ寸法は、縦板状部材１１の長さ寸法よりも小さく形成されている。横板状部材１２は、図６に示すように、床面Ｓに接地してベッドＢを揺らす機能と、ベッドＢの転倒を防止する機能とを併有する。横板状部材１２は、全体として下向きに凸となる弓形状を呈する。横板状部材１２は、横側基部１２ａと、横側基部１２ａの外端から外向きに延出する一対の横側規制部１２ｂ，１２ｂとを備えている。横板状部材１２は、中心を通る鉛直軸に対して線対称になっている。
【００３４】
横側基部１２ａは、横板状部材１２の中央に位置し、ベッドＢの初期位置において床面Ｓに接地する部位である。横側基部１２ａは、略一定の高さ寸法で左右方向に延在している。横側基部１２ａの下端の中央部には、正面視略矩形状の切欠部１２ｆが切り欠いて形成されている。切欠部１２ｆは、下向きに開口している。縦板状部材１１と横板状部材１２とは、互いの切欠部１１ｆ，１２ｆ同士を上下方向に差し込むことで連結されている（図２参照）。
【００３５】
横側規制部１２ｂは、ベッドフレーム１の所定角度以上の傾きを規制すると共に、支持部２０に接続される部位である。横側規制部１２ｂの高さ寸法は、横側基部１２ａの高さ寸法よりも大きく形成されている。横側規制部１２ｂには、軽量化のために、略三角形状の貫通孔１２ｇが形成されている。一対の横側規制部１２ｂ，１２ｂは、貫通孔１２ｇの周囲において、横側基部１２ａの外端から上下に二股状に分岐する上側傾斜部１２ｃ及び下側傾斜部１２ｄと、上側傾斜部１２ｃ及び下側傾斜部１２ｄの外端同士を繋ぐ外側部１２ｅとを備えている。
【００３６】
上側傾斜部１２ｃは、内側から外側へ向かうほど上り傾斜している。上側傾斜部１２ｃの上端と横側基部１２ａの上端は、滑らかに連続しており、下向きに凸となる曲面状に形成されている。
【００３７】
下側傾斜部１２ｄは、内側から外側へ向かうほど上側傾斜部１２ｃよりも緩やかに上り傾斜している。下側傾斜部１２ｄの外端は、上側傾斜部１２ｃの外端よりも外側に位置している。下側傾斜部１２ｄの下端と横側基部１２ａの下端は、滑らかに連続しており、下向きに凸となる曲面状に形成されている。横側基部１２ａと下側傾斜部１２ｄの下端は、内側から外側へ向かうほど床面Ｓとの離間距離が大きくなっている。
【００３８】
外側部１２ｅは、上側傾斜部１２ｃの外端から外向きに水平に延出した後、下側傾斜部１２ｄの外端へ向けて斜め下方に延出している。外側部１２ｅの上端には、平坦状の接合面１２ｈが形成されている。接合面１２ｈには、枠状部２１のダボ孔２１ａに嵌合する複数（本実施形態では２つ）のダボＤが上方へ向けて突設されている。
【００３９】
外側部１２ｅの外端は、上方から下方へ向かうほど外側に位置するように傾斜すると共に、内向きに凸となる曲面状に形成されている。外側部１２ｅの下端には、下側傾斜部１２ｄよりも下方に段差状に突出する当接部１２ｉが形成されている。当接部１２ｉは、ベッドフレーム１が所定角度以上に傾いたときに床面Ｓに当接して利用者にガタつき（違和感）を与えるための面状部位である。つまり、当接部１２ｉは、ベッドＢの揺動に際し、利用者に注意を喚起する機能を備えている。床面Ｓから当接部１２ｉまでの高さ寸法Ｈ２は、高さ寸法Ｈ１と同じ寸法に形成されている。
【００４０】
図３に示すように、一対の傾斜板状部材１３，１３は、Ｘ字状に組み合わされており、縦板状部材１１及び横板状部材１２に対して傾斜している。実施形態の傾斜板状部材１３，１３と縦板状部材１１とのなす角度は適宜設定すればよいが、本実施形態では約３０°に設定している。傾斜板状部材１３，１３は、図７及び図８に示すように、ベッドＢの初期位置において床面Ｓに対して上方に離間した位置で支持部２０に接続されている。傾斜板状部材１３，１３は、ベッドＢが斜め方向に所定角度以上傾いたときに、床面Ｓに接地してベッドＢの転倒を防止する役割を果たす。傾斜板状部材１３，１３は、全体として下向きに凸となる弓形状を呈する。
【００４１】
一対の傾斜板状部材１３，１３は、傾斜側基部１３ａと、傾斜側基部１３ａの外端から外向きに延出する一対の傾斜側規制部１３ｂ，１３ｂとを備えている。傾斜板状部材１３は、中心を通る鉛直軸に対して線対称になっている。一対の傾斜板状部材１３，１３は、切欠部１３ｆの開口方向以外の構成は同様であるため、図７に示す一方の傾斜板状部材１３を中心に以下説明する。
【００４２】
傾斜側基部１３ａは、傾斜板状部材１３の中央に位置し、一対の傾斜側規制部１３ｂ，１３ｂ同士を繋ぐ部位である。傾斜側基部１３ａは、略一定の高さ寸法で延在している。傾斜側基部１３ａの上端の中央部には、正面視略矩形状の切欠部１３ｆが切り欠いて形成されている。切欠部１３ｆは、上向きに開口している。図８に示す他方の傾斜板状部材１３の切欠部１３ｆは、傾斜側基部１３ａの下端の中央部において下向きに開口している。一対の傾斜板状部材１３，１３は、互いの切欠部１３ｆ，１３ｆ同士を上下方向に差し込むことで連結されている（図２参照）。
【００４３】
傾斜側規制部１３ｂは、ベッドフレーム１の所定角度以上の傾きを規制すると共に、支持部２０に接続される部位である。傾斜側規制部１３ｂの高さ寸法は、傾斜側基部１３ａの高さ寸法よりも大きく形成されている。傾斜側規制部１３ｂには、軽量化のために、略台形状の貫通孔１３ｇが形成されている。一対の傾斜側規制部１３ｂ，１３ｂは、貫通孔１３ｇの周囲において、傾斜側基部１３ａの外端から上下に二股状に分岐する上側傾斜部１３ｃ及び下側傾斜部１３ｄと、上側傾斜部１３ｃ及び下側傾斜部１３ｄの外端同士を繋ぐ外側部１３ｅとを備えている。
【００４４】
上側傾斜部１３ｃは、内側から外側へ向かうほど上り傾斜している。上側傾斜部１３ｃの上端と傾斜側基部１３ａの上端は、滑らかに連続しており、下向きに凸となる曲面状に形成されている。
【００４５】
下側傾斜部１３ｄは、内側から外側へ向かうほど下り傾斜した後、上り傾斜している。下側傾斜部１３ｄの下端と傾斜側基部１３ａの下端は、滑らかに連続している。傾斜側基部１３ａの下端から下側傾斜部１３ｄの変曲点に至る部位には、縦板状部材１１及び横板状部材１２との干渉を回避する凹部１３ｊが切り欠いて形成されている。縦板状部材１１と横板状部材１２は、凹部１３ｊの下方を通って交差している。一対の傾斜板状部材１３，１３は、縦板状部材１１及び横板状部材１２に対して相互に連結されていない。下側傾斜部１３ｄの外端は、上側傾斜部１３ｃの外端よりも外側に位置している。
【００４６】
外側部１３ｅは、上側傾斜部１３ｃの外端から外向きに水平に延出した後、下側傾斜部１３ｄの外端へ向けて斜め下方に延出している。外側部１３ｅの上端には、平坦状の接合面１３ｈが形成されている。接合面１３ｈには、枠状部２１のダボ孔２１ａに嵌合する複数（本実施形態では２つ）のダボＤが上方へ向けて突設されている。
【００４７】
外側部１３ｅの外端は、上方から下方へ向かうほど外側に位置するように傾斜すると共に、内向きに凸となる曲面状に形成されている。外側部１３ｅの下端には、下側傾斜部１３ｄよりも下方に段差状に突出する当接部１３ｉが形成されている。当接部１３ｉは、ベッドフレーム１が所定角度以上に傾いたときに床面Ｓに当接して利用者にガタつき（違和感）を与えるための面状部位である。つまり、当接部１３ｉは、ベッドＢの揺動に際し、利用者に注意を喚起する機能を備えている。床面Ｓから当接部１３ｉまでの高さ寸法Ｈ３は、高さ寸法Ｈ１，Ｈ２と同じ寸法に形成されている。
【００４８】
図３に示すように、支持部２０は、脚部１０上に接続される枠状部２１と、枠状部２１の内側に設けられた受け部２２とを備えている。
【００４９】
枠状部２１は、支持部２０の周縁部を構成する部位である。枠状部２１は、平面視楕円枠状を呈する。枠状部２１の材質は、本実施形態では中密度繊維板（ＭＤＦ）が用いられている。枠状部２１の材質は、木、樹脂、金属等の他の材料でもよいが、強度が高くかつ軽量である材料が好ましい。枠状部２１には、複数のダボ孔２１ａ，２１ａが形成されている。複数のダボ孔２１ａ，２１ａは、枠状部２１の周方向に間隔をあけて配置されている。枠状部２１と各板状部材１１〜１３とは、ダボ孔２１ａにダボＤを挿入することで互いに接合されている（図４、図６〜図８参照）。
【００５０】
受け部２２は、主に利用者の胴体が乗る部位である。受け部２２は、柔軟性（可撓性）を有する網状体からなる。受け部２２は、下方に窪む（撓む）浅い皿状を呈する（図１０参照）。受け部２２は、枠状部２１よりも下方に窪んでいる。実施形態の受け部２２は、複数本のペーパーコードを縦横方向（前後方向及び左右方向）に交差させて形成されている。各ペーパーコードの延在方向に沿った両端部は、枠状部２１上に固定されている。受け部２２は、ゴム、樹脂等の他の材料からなる繊維を交差させて形成されてもよいし、シート状、面状、キャンバス等の布状に形成されてもよい。
【００５１】
受け部２２は、縦横のペーパーコードが互いに交差する交差領域２２ａと、縦横のペーパーコードが互いに交差しない４つの非交差領域２２ｂ，２２ｂとを備えている。交差領域２２ａは、平面視矩形状を呈する。非交差領域２２ｂは、円弧と弦に囲まれた平面視略弓形状を呈する。非交差領域２２ｂは、交差領域２２ａの周囲に配置されている。実施形態の傾斜板状部材１３，１３は、交差領域２２ａの対角線に沿って延在している。傾斜板状部材１３，１３は、縦横のペーパーコードとずれた位置で枠状部２１に固定されている。
【００５２】
図９及び図１０に示すように、布団３は、支持部２０上に設置されるものであって、クッション性を備える。布団３は、平面視して支持部２０と略同等の楕円形状を呈する。布団３は、鉛直断面視して下方に窪む浅い皿状を呈する。布団３は、例えば布製のカバーの中に羽毛を詰めて形成されている。布団３は、本体部３１と、本体部３１の周縁の全周に沿って延在する枕部３２とを一体的に備えている。なお、図９の太実線は、本体部３１と枕部３２との境界線Ｒを示している。
【００５３】
本体部３１は、主に利用者の胴体が乗る部位である。本体部３１は、平面視略矩形状を呈する。本体部３１は、交差領域２２ａ上に設置されている。
【００５４】
枕部３２は、主に利用者の頭部及び脚部の少なくとも一方が乗る部位である。枕部３２は、平面視略楕円環状を呈する。枕部３２は、平面視して枠状部２１上と非交差領域２２ｂ上とに亘って設置されている。枕部３２の高さは、全周に亘って略一定である。なお、枕部３２に高低差があってもよい。
【００５５】
ここで、ベッドＢの寸法について説明する。ベッドＢの各寸法は特に制限されないが、例えば脚部１０の最長寸法は１９６０ｍｍ、最短寸法は１５１０ｍｍ、高さ寸法は４５０ｍｍで形成されている。支持部２０の最長寸法は１６００ｍｍ、最短寸法は１１５０ｍｍで形成されている。脚部１０から布団３の全高さは５５０ｍｍ〜６００ｍｍの範囲で形成されている。
【００５６】
本実施形態に係るベッドＢは、基本的に以上のように構成されるものであり、次にその作用効果について説明する。
【００５７】
図１１はベッドＢを左右方向（短軸方向）から見た側面図である。図１１に示すように、布団３に図示せぬ利用者が乗り、体の重心位置を縦板状部材１１に沿って前側に移動させることにより、ベッドＢ全体を前側に傾倒させることができる。また、体の重心位置を縦板状部材１１に沿って後側に移動させることにより、ベッドＢ全体を後側に傾倒させることができる。
図示は省略するが、体の重心位置を横板状部材１２に沿って左右方向に移動させることにより、ベッドＢ全体を左右方向にも傾倒させることができる。
さらに、体の重心位置を縦板状部材１１と横板状部材１２との間の斜め方向に沿って移動させることにより、ベッドＢ全体を斜め方向にも傾倒させることができる。
つまり、本実施形態によれば、放射状方向に揺動可能な脚部１０を備えるため、ベッドＢを放射状方向に揺らすことができる。これにより、快適な寝心地を生み出すことができる。
【００５８】
また、本実施形態によれば、脚部１０は互いに交差する複数の板状部材１１〜１３で構成されているため、脚部１０の軽量化を図ることができる。
また、本実施形態によれば、各板状部材１１〜１３の延在方向に沿った両端部は、支持部２０の周縁部を構成する枠状部２１に接続されているため、ベッドＢの安定性を向上させることができる。
【００５９】
また、本実施形態によれば、各板状部材１１〜１３の下端の面取部１１ｊが床面Ｓに対して線接触することにより、各板状部材１１〜１３と床面Ｓとの接触面積が小さくなるため、ガタつきを抑え、ベッドＢをスムーズに揺らすことができる。
また、本実施形態によれば、脚部１０が支持部２０の周端２０ａよりも外側に張り出しているため、ベッドＢの倒れを抑制して安定性を向上させることができる。
【００６０】
また、本実施形態によれば、受け部２２が柔軟性を有することにより、受け部２２が体型や寝相に合わせて変形するため、体を柔らかく受け止めることができる。
また、本実施形態によれば、布団３が枕部３２を一体的に備えるため、枕部３２の位置ズレが生じない。
また、本実施形態によれば、枕部３２が布団３の周縁の全周に沿って延在するため、寝る姿勢が変わっても頭部が枕部３２上に位置しやすくなる。
さらに、枕部３２が布団３の周縁の全周に沿って延在するため、利用者の頭部と脚部を枕部３２上に乗せて、胴体よりも頭部と脚部を高く位置させることが可能となり、楽な体勢を保持することができる。
【００６１】
また、本実施形態によれば、本体部３１が枕部３２よりも下方に窪むため、本体部３１に体（胴体）が沈み込んで、体が包み込まれる感覚を得られる。これにより、快適な寝心地を生み出すことができる。
また、本実施形態によれば、当接部１３ｉが床面Ｓに当接したときの衝突音やガタつきで、利用者に注意を喚起することができる。
また、本実施形態によれば、ベッドＢが平面視楕円形状であることにより、背の高い人がベッドＢの長軸方向に寝たり背の低い人が短軸方向に寝たりできるため、１台で様々な背丈の人に対応することができる。また、様々な寝相にも対応することができる。
【００６２】
また、本実施形態によれば、ベッドＢが放射方向に揺動可能であるため、ベッドＢの枕部３２に腰をかけると、ベッドＢの対面が利用者に近付くように起き上がる。すなわち、ベッドＢが迎えにくるような状態となるため、ベッドＢに体をあずけて寝る体勢に入りやすくなる。
また、本実施形態によれば、ベッドフレーム１の構成部品は、縦板状部材１１、横板状部材１２、一対の傾斜板状部材１３，１３及び支持部２０の５点であり、部品点数が少ないため、組立てや分解作業を簡便かつ迅速に行うことができる。
【００６３】
また、本実施形態によれば、一対の傾斜板状部材１３，１３が縦板状部材１１及び横板状部材１２に対して相互に連結されていないため、これら４本の板状部材１１〜１３を相互に連結する構造に比べ、切欠部等の連結部の数を減らすことが可能となる。これにより、各板状部材１１〜１３の薄肉部位を減らして良好な強度・剛性を確保できると共に、各板状部材１１〜１３の形状の複雑化を回避できる。
【００６４】
また、本実施形態によれば、複数本のペーパーコードを縦横方向に交差させた受け部２２を備え、各ペーパーコードの延在方向に沿った両端部を単一の枠状部２１上に固定するため、ペーパーコードに加わった荷重が枠状部２１に分散して伝わりやすくなる。
また、ペーパーコードの結び方を調整することにより、受け部２２のクッション性やテンションを利用者の好みに合わせることができる。
さらに、受け部２２を網状体にすることにより、通気性を確保することができる。
【００６５】
また、本実施形態によれば、枕部３２が平面視楕円環状を呈するため、枕部３２の中の羽毛を周方向にずらしたり叩いたりして、利用者好みの高さや形状や柔らかさに調整することができる。
【００６６】
以上、本発明の実施形態について図面を参照して詳細に説明したが、本発明はこれに限定されるものではなく、発明の主旨を逸脱しない範囲で適宜変更可能である。
【００６７】
実施形態では、ベッドＢを室内の床面Ｓに設置した場合を例示したが、例えばベッドＢを室外の地面に設置してもよい。
また、例えば大人用ベッド、子供用ベッド、動物用ベッド等に対して本発明を適用することもできる。
さらに、実施形態では、ベッドＢが平面視楕円形状である場合を例示したが、ベッドＢを例えば平面視円形状や多角形状等の他の形状にしてもよい。
【００６８】
脚部１０の構成は、実施形態のものに限定されることなく、適宜変更してよい。
実施形態では脚部１０を複数の板状部材１１〜１３で構成したが、例えば半球体で構成してもよい。また、脚部１０の当接部材は、木製、金属製又は樹脂製等の棒状としてもよいし、枠状としてもよい。つまり、脚部１０は、放射状方向に揺動可能であれば他の形状、材質であってもよい。
また、実施形態では傾斜板状部材１３，１３が縦板状部材１１及び横板状部材１２に対して異なる角度で離隔しているが、各板状部材１１〜１３が周方向に沿って等角度離隔して配置されてもよい。
また、実施形態では縦板状部材１１と横板状部材１２とを備えたが、これらを省略して、一対の傾斜板状部材１３，１３のみを備える構成にしてもよい。
また、実施形態では一対の傾斜板状部材１３，１３を備えたが、これらを省略して、縦板状部材１１と横板状部材１２のみを備える構成にしてもよい。このようにすると、板状部材の本数が減るため、ベッドＢの揺れを助長することができる。ベッドＢの安定性は、縦板状部材１１の張出寸法Ｌ１と横板状部材１２の張出寸法Ｌ２を長くすることで確保することができる。
さらに、実施形態では一対の傾斜板状部材１３，１３を備えたが、これらを省略して、図１２に示すように横板状部材１２を複数（本変形例では３本）備える構成にしてもよい。なお、図１２では説明の便宜上受け部２２を省略して描いている。複数の横板状部材１２，１２は、互いに平行に延在している。複数の横板状部材１２，１２は、前後方向（長軸方向）に沿って等しい間隔をあけて配置されている。
【００６９】
実施形態では、各板状部材１１〜１３の下端を床面Ｓに対して線接触させる構成としたが、面接触させる構成としてもよい。
実施形態では、各板状部材１１〜１３を支持部２０の周端２０ａよりも外側に張り出す構成としたが、周端２０ａと同位置又は周端２０ａよりも内側に位置する構成としてもよい。
実施形態では、各板状部材１１〜１３が上側傾斜部１１ｃ，１２ｃ，１３ｃを備えたが、上側傾斜部１１ｃ，１２ｃ，１３ｃを省略してもよい。
実施形態では、各板状部材１１〜１３に面状の当接部１１ｉ，１２ｉ，１３ｉを形成したが、当接部１１ｉ，１２ｉ，１３ｉを突起状等の他の形状に形成してもよいし、当接部１１ｉ，１２ｉ，１３ｉを省略してもよい。
実施形態では、各板状部材１１〜１３に貫通孔１１ｇ，１２ｇ，１３ｇを形成したが、貫通孔１１ｇ，１２ｇ，１３ｇを省略してもよい。
実施形態では、外側部１１ｅ，１２ｅ，１３ｅの外端を内向きに凸となる曲面状に形成したが、平面状に形成してもよい。
実施形態では、枠状部２１と各板状部材１１〜１３との接合手段としてダボＤを使用したが、例えばネジ等を使用してもよい。
【００７０】
また、図１３に示すように、縦側規制部１１ｂの構成を変更すると共に、縦板状部材１１全体の曲率を実施形態よりも大きく形成してもよい。以下の説明では、実施形態と同様の構成については同一の符号を付し、重複する説明は省略する。
【００７１】
図１３に示す変形例においては、一対の縦側規制部１１ｂ，１１ｂは、貫通孔１１ｇの周囲において、縦側基部１１ａの外端から外向きかつ斜め上方に延出する傾斜部１１ｋと、傾斜部１１ｋの外端から内向きかつ斜め上方に延出する外側部１１ｅと、傾斜部１１ｋと外側部１１ｅとを連結する連結部１１ｍとを備えている。
【００７２】
傾斜部１１ｋは、内側から外側へ向かうほど上り傾斜している。傾斜部１１ｋの外端は、枠状部２１の周端２０ａよりも外側に位置している。傾斜部１１ｋの下端と縦側基部１１ａの下端は、滑らかに連続しており、下向きに凸となる曲面状に形成されている。
外側部１１ｅは、傾斜部１１ｋの外端から枠状部２１へ向けて斜め上方に延出した後、内向きに水平に延出している。外側部１１ｅの下端には、傾斜部１１ｋよりも下方に段差状に突出する当接部１１ｉが形成されている。
連結部１１ｍは、傾斜部１１ｋと外側部１１ｅとの間において上下方向に延設されている。連結部１１ｍは、外側部１１ｅの強度を高める役割を果たす。なお、連結部１１ｍを省略してもよい。
【００７３】
本変形例では、縦板状部材１１全体の曲率が実施形態よりも大きく形成されている。すなわち、縦側基部１１ａと傾斜部１１ｋの下端は、内側から外側へ向かうほど床面Ｓとの離間距離が実施形態よりも大きくなっている。床面Ｓから当接部１１ｉまでの高さ寸法Ｈ１は、実施形態で例示した寸法（１００ｍｍ）よりも大きく形成されている。なお、他の板状部材１２，１３に対して本変形例の構成を適用することもできる。
【００７４】
実施形態では、受け部２２を下方に窪む浅い皿状に形成したが、平坦状に形成してもよい。
実施形態では、支持部２０を枠状部２１と受け部２２とで構成したが、単一の板状部材や棒状部材等で構成してもよい。この場合には、各板状部材１１〜１３を支持部２０の周縁部以外（例えば中心側）に接続してもよい。
実施形態では、支持部２０を枠状部２１と受け部２２とで構成したが、枠状部２１を省略して、受け部２２のみで構成してもよい。
実施形態では、本体部３１の周縁の全周に沿って枕部３２を設けたが、本体部３１の周縁の一部（例えば半周）に沿って枕部３２を設けてもよい。
【符号の説明】
【００７５】
Ｂ      ベッド
１      ベッドフレーム
３      布団
１０    脚部
１１    縦板状部材（当接部材）
１２    横板状部材（当接部材）
１３    傾斜板状部材（当接部材）
２０    支持部
２０ａ  周端
２１    枠状部（周縁部）
２２    受け部
３１    本体部
３２    枕部
Ｓ      床面（設置面）
【図１】
2018007812.tif 000003
【図２】
2018007812.tif 000004
【図３】
2018007812.tif 000005
【図４】
2018007812.tif 000006
【図５】
2018007812.tif 000007
【図６】
2018007812.tif 000008
【図７】
2018007812.tif 000009
【図８】
2018007812.tif 000010
【図９】
2018007812.tif 000011
【図１０】
2018007812.tif 000012
【図１１】
2018007812.tif 000013
【図１２】
2018007812.tif 000014
【図１３】
2018007812.tif 000015